Podtech/llm-jp-corpus-v4-ja_patent huggingface dataset:
【手続補正書】
【提出日】平成26年8月8日(2014.8.8)
【手続補正１】
【補正対象書類名】特許請求の範囲
【補正対象項目名】全文
【補正方法】変更
【補正の内容】
【特許請求の範囲】
【請求項１】
印刷ジョブから画像データを生成する画像処理装置であって、
前記印刷ジョブを解析する解析手段と、
前記解析手段での前記解析の結果に基づいて、印刷ジョブに含まれる複数のオブジェクトを最大個数に応じて１つのオブジェクトにまとめるまとめ手段と、
前記まとめ手段でまとめられたオブジェクトに基づき中間データを生成する中間データ生成手段と、
前記中間データ生成手段で生成された中間データから画像データを生成する画像データ生成手段と、
を有し、
前記まとめ手段は、まとめるオブジェクトの種別によって、まとめるオブジェクトの最大個数を切り替える画像処理装置。
【請求項２】
前記画像データ生成手段で生成された画像データに基づき画像を印刷する印刷手段を更に有する請求項１記載の画像処理装置。
【請求項３】
前記まとめ手段は、前記まとめるオブジェクトの種別によって、１つのオブジェクトにまとめられる複数のオブジェクトの最大個数である、まとめるオブジェクトの最大個数を切り替える請求項１又は２記載の画像処理装置。
【請求項４】
前記まとめ手段は、１つのオブジェクトにまとめられる複数のオブジェクトの個数を数え上げ、前記個数が前記最大個数を越えるかを判定し、
前記中間データ生成手段は、前記まとめ手段で前記個数が前記最大個数を越えると判定されたことに応じて、前記まとめ手段でまとめられたオブジェクトに基づき中間データを生成する請求項１乃至３何れか１項記載の画像処理装置。
【請求項５】
前記まとめ手段は、まとめられる複数のオブジェクトを、前記まとめられる複数のオブジェクト全体の輪郭を示すパスを持つ１つのオブジェクトにまとめる請求項１乃至４何れか１項記載の画像処理装置。
【請求項６】
前記まとめ手段でまとめられた１つのオブジェクトは、前記まとめられる複数のオブジェクトに共通する１つの色値、又は、前記まとめられる複数のオブジェクト全体を含むイメージを持つ請求項５記載の画像処理装置。
【請求項７】
前記まとめ手段は、複数の画像データ生成手段を有し、オブジェクトをまとめる際に画像データの生成が必要な場合、オブジェクトの種別によって画像データ生成手段を切り替える請求項１乃至６何れか１項記載の画像処理装置。
【請求項８】
前記複数の画像データ生成手段とは、ペインターズ法を用いて画像データの生成を行う画像データ生成手段と、スキャンライン法を用いて画像データの生成を行う画像データ生成手段と、である請求項７記載の画像処理装置。
【請求項９】
前記まとめ手段がまとめるオブジェクトの種別とは、まとめたときに重なりが発生しない同色の矩形のグラフィックオブジェクトと、まとめたときに重なりが発生する同色の矩形のグラフィックオブジェクトと、同色で任意の形のグラフィックオブジェクトと、である請求項１乃至８何れか１項記載の画像処理装置。
【請求項１０】
前記まとめ手段がまとめるオブジェクトの種別とは、まとめたときに重なりが発生しないイメージオブジェクトと、まとめたときに重なりが発生するイメージオブジェクトと、である請求項１乃至８何れか１項記載の画像処理装置。
【請求項１１】
印刷ジョブから画像データを生成する画像処理装置が実行する画像処理方法であって、
前記印刷ジョブを解析する解析ステップと、
前記解析ステップでの前記解析の結果に基づいて、印刷ジョブに含まれる複数のオブジェクトを最大個数に応じて１つのオブジェクトにまとめるまとめステップと、
前記まとめステップでまとめられたオブジェクトに基づき中間データを生成する中間データ生成ステップと、
前記中間データ生成ステップで生成された中間データから画像データを生成する画像データ生成ステップと、
を含み、
前記まとめステップでは、まとめるオブジェクトの種別によって、まとめるオブジェクトの最大個数を切り替える画像処理方法。
【請求項１２】
前記画像データ生成ステップで生成された画像データに基づき画像を印刷する印刷ステップを更に含む請求項１１記載の画像処理方法。
【請求項１３】
コンピュータを、請求項１乃至１０何れか１項記載の各手段として動作させるためのプログラム。
【手続補正２】
【補正対象書類名】明細書
【補正対象項目名】０００６
【補正方法】変更
【補正の内容】
【０００６】
そこで、本発明は、印刷ジョブから画像データを生成する画像処理装置であって、前記印刷ジョブを解析する解析手段と、前記解析手段での前記解析の結果に基づいて、印刷ジョブに含まれる複数のオブジェクトを最大個数に応じて１つのオブジェクトにまとめるまとめ手段と、前記まとめ手段でまとめられたオブジェクトに基づき中間データを生成する中間データ生成手段と、前記中間データ生成手段で生成された中間データから画像データを生成する画像データ生成手段と、を有し、前記まとめ手段は、まとめるオブジェクトの種別によって、まとめるオブジェクトの最大個数を切り替える。
【手続補正書】
【提出日】平成25年12月16日(2013.12.16)
【手続補正１】
【補正対象書類名】特許請求の範囲
【補正対象項目名】請求項４
【補正方法】変更
【補正の内容】
【請求項４】
前記色シェーディング補正手段により前記第１の色シェーディング補正量に基づいて色シェーディング補正されたカラー画像から一定の面積以上の平面物体を抽出し、該平面物体における色シェーディング量を検出する色シェーディング量解析手段と、
前記色シェーディング量解析手段により一定値以上の色シェーディング量が検出されると、該色シェーディング量を低減させる第３の色シェーディング補正量を決定する第３のシェーディング補正量決定手段と、を備え、
前記色シェーディング補正手段は、前記色シェーディング量解析手段により一定値以上の色シェーディング量が検出されると、前記第３の色シェーディング補正量に基づいて色シェーディング補正を行う請求項１から３のいずれか１項に記載の撮像装置。
【手続補正２】
【補正対象書類名】特許請求の範囲
【補正対象項目名】請求項１２
【補正方法】変更
【補正の内容】
【請求項１２】
前記色シェーディング補正工程は、前記第１の色シェーディング補正量に基づいて前記カラー画像の色シェーディング補正を行い、
前記色シェーディング補正されたカラー画像から一定の面積以上の平面物体を抽出し、該平面物体における色シェーディング量を検出する色シェーディング量解析工程と、
前記色シェーディング量解析工程により一定値以上の色シェーディング量が検出されると、該色シェーディング量を低減させる第３の色シェーディング補正量を決定する第３のシェーディング補正量決定工程と、を含み、
前記色シェーディング補正工程は、前記色シェーディング量解析工程により一定値以上の色シェーディング量が検出されたときのみ、前記第３の色シェーディング補正量に基づいて色シェーディング補正を行う請求項９から１１のいずれか１項に記載の画像処理方法。
【手続補正３】
【補正対象書類名】明細書
【補正対象項目名】００１９
【補正方法】変更
【補正の内容】
【００１９】
本発明の更に他の態様に係る撮像装置において、前記色シェーディング補正手段により前記第１の色シェーディング補正量に基づいて色シェーディング補正されたカラー画像から一定の面積以上の平面物体を抽出し、該平面物体における色シェーディング量を検出する色シェーディング量解析手段と、前記色シェーディング量解析手段により一定値以上の色シェーディング量が検出されると、該色シェーディング量を低減させる第３の色シェーディング補正量を決定する第３のシェーディング補正量決定手段と、を備え、前記色シェーディング補正手段は、前記色シェーディング量解析手段により一定値以上の色シェーディング量が検出されると、前記第３の色シェーディング補正量に基づいて色シェーディング補正を行うようにしている。これにより、平面物体の領域における色シェーディングを補正するための第３の色シェーディング補正量に基づいて色シェーディング補正を行うことができ、平面物体の領域における色シェーディングを良好に補正することができる。
【手続補正４】
【補正対象書類名】明細書
【補正対象項目名】００２８
【補正方法】変更
【補正の内容】
【００２８】
本発明の更に他の態様に係る画像処理方法において、前記色シェーディング補正工程は、前記第１の色シェーディング補正量に基づいて前記カラー画像の色シェーディング補正を行い、前記色シェーディング補正されたカラー画像から一定の面積以上の平面物体を抽出し、該平面物体における色シェーディング量を検出する色シェーディング量解析工程と、前記色シェーディング量解析工程により一定値以上の色シェーディング量が検出されると、該色シェーディング量を低減させる第３の色シェーディング補正量を決定する第３のシェーディング補正量決定工程と、を含み、前記色シェーディング補正工程は、前記色シェーディング量解析工程により一定値以上の色シェーディング量が検出されたときのみ、前記第３の色シェーディング補正量に基づいて色シェーディング補正を行うようにしている。
【手続補正書】
【提出日】平成26年8月8日(2014.8.8)
【手続補正１】
【補正対象書類名】特許請求の範囲
【補正対象項目名】全文
【補正方法】変更
【補正の内容】
【特許請求の範囲】
【請求項１】
動物または人の形等の特定の形状を模した形状を有する動作体玩具であって、
肢部が動作可能に取り付けられた胴体部と、
表示部を有する通信機器が嵌合されることで、該通信機器を前記動作体玩具の顔面位置において保持するよう構成され、かつ、前記胴体部に対して動作可能に該通信機器が支持される頭部と、
前記頭部において保持された前記通信機器から出力される信号を、前記胴体部に取り付けられた前記肢部を動作させる制御部に伝送するための伝送部材と
を備え、
前記伝送部材はプラグを含み、前記プラグは、前記通信機器が前記頭部に嵌合された場合に該通信機器の側面を保持する該頭部の側壁部の内側から突出し、前記頭部に嵌合された前記通信器機のコネクタと結合可能に構成されたことを特徴とする動作体玩具。
【請求項２】
前記動作体玩具は、前記通信機器から出力される信号に基づいて音声が出力される音声出力部を有し、
前記プラグは、少なくとも２つの伝送経路を有するイヤホンプラグであり、第１の伝送経路により伝送された信号は前記音声出力部に入力され、第２の伝送経路により伝送された信号は前記制御部に入力されることを特徴とする請求項１に記載の動作体玩具。
【請求項３】
前記イヤホンプラグは、リング部を介して前記通信機器から出力される信号を前記音声出力部に伝送し、チップ部を介して前記通信機器から出力される信号を前記制御部に伝送するよう構成されていることを特徴とする請求項２に記載の動作体玩具。
【請求項４】
前記制御部では、前記通信機器より、内部電池の残容量が所定値以下であることを示す信号が伝送された場合に、前記肢部の動作速度を落として、前記肢部を動作させることを特徴とする請求項１乃至３のいずれか１項に記載の動作体玩具。
【請求項５】
前記通信機器の表示部には、前記音声出力部により出力される音声または前記制御部により制御される前記肢部の動作内容の少なくともいずれか一方と対応した顔面画像が表示されることを特徴とする請求項２乃至４のいずれか一項に記載の動作体玩具。
【請求項６】
前記通信機器に対してユーザが入力した指示に従って、該通信機器から前記信号が出力されることを特徴とする請求項１乃至５のいずれか一項に記載の動作体玩具。
【請求項７】
前記通信機器において入力された音声または前記通信機器において撮像された画像に基づいて、該通信機器から前記信号が出力されることを特徴とする請求項１乃至５のいずれか一項に記載の動作体玩具。
【請求項８】
前記通信機器は、無線通信部を有し、
前記無線通信部の処理結果に基づいて、該通信機器から前記信号が出力されることを特徴とする請求項１乃至５のいずれか一項に記載の動作体玩具。
【請求項９】
請求項１に記載の動作体玩具に前記伝送部材を介して接続される前記通信機器のコンピュータに、制御方法を実行させるためのプログラムであって、
前記制御方法は、
前記通信機器から出力される信号に基づいて音声が出力される音声出力部により出力される音声または前記制御部により制御される前記肢部の動作内容の少なくともいずれか一方に対応した顔面画像を前記表示部に表示する工程と、
前記通信機器において入力された指示に従って、該通信機器から前記信号を出力する工程と、
前記通信機器において入力された音声または前記通信機器において撮像された画像に基づいて、該通信機器から前記信号を出力する工程と
を有することを特徴とするプログラム。
【請求項１０】
前記制御方法は、更に、前記通信機器の内部電池の残容量が所定値以下であることを示す信号を出力する工程を有することを特徴とする請求項９に記載のプログラム。
【手続補正２】
【補正対象書類名】明細書
【補正対象項目名】０００７
【補正方法】変更
【補正の内容】
【０００７】
上記の目的を達成するために本発明に係る動作体玩具は以下のような構成を備える。即ち、
動物または人の形等の特定の形状を模した形状を有する動作体玩具であって、
肢部が動作可能に取り付けられた胴体部と、
表示部を有する通信機器が嵌合されることで、該通信機器を前記動作体玩具の顔面位置において保持するよう構成され、かつ、前記胴体部に対して動作可能該通信機器が支持される頭部と、
前記頭部において保持された前記通信機器から出力される信号を、前記胴体部に取り付けられた前記肢部を動作させる制御部に伝送するための伝送部材とを備え、
前記伝送部材はプラグを含み、前記プラグは、前記通信機器が前記頭部に嵌合された場合に該通信機器の側面を保持する該頭部の側壁部の内側から突出し、前記頭部に嵌合された前記通信器機のコネクタと結合可能に構成されている。
【手続補正書】
【提出日】平成26年8月7日(2014.8.7)
【手続補正１】
【補正対象書類名】特許請求の範囲
【補正対象項目名】全文
【補正方法】変更
【補正の内容】
【特許請求の範囲】
【請求項１】
軟骨伝導振動部の一部を弾性体の内側で支持するとともに、前記弾性体の外側を筐体角部に配置したことを特徴とする携帯電話。
【請求項２】
前記軟骨伝導振動部の他の一部を第２の弾性体の内側で支持するとともに、前記第２の弾性体の外側を前記筐体の他の角部に配置したことを特徴とする請求項１記載の携帯電話。
【請求項３】
前記軟骨伝導振動部は、両端部を有する形状であり、前記弾性体および前記第２の弾性体は前記軟骨伝導振動部の前記両端部をそれらの内側でそれぞれ支持するとともに、前記弾性体および前記第２の弾性体のそれぞれの外側を前記筐体の対向する角部にそれぞれ配置したことを特徴とする請求項２記載の携帯電話。
【請求項４】
前記弾性体は前記筐体に振動を抑制されない自由振動部を有し、前記軟骨伝導振動部は前記自由振動部に設けられることを特徴とする請求項１から３のいずれかに記載の携帯電話。
【請求項５】
前記軟骨伝導振動部が配置されない他の２つの筐体角部にも弾性体が配置され、前記軟骨伝導振動部が配置される筐体角部の弾性体とともに、携帯電話の四つの角への外部からの衝突を緩和しうるよう構成されることを特徴とする請求項２から４のいずれかに記載の携帯電話。
【請求項６】
第２の軟骨伝導振動部の一部を第２の弾性体の内側で支持するとともに、前記第２の弾性体の外側を筐体の他の角部に配置したことを特徴とする請求項１記載の携帯電話。
【請求項７】
筐体と、前記筐体の複数の角部にそれぞれ配置される複数の弾性体と、前記複数の弾性体にそれぞれ設けられる軟骨伝導振動部とを有し、前記軟骨伝導振動部はそれぞれ携帯電話外面に露出しないよう前記弾性体に設けられることを特徴とする携帯電話。
【請求項８】
前記軟骨伝導振動部はそれぞれ前記弾性体に埋め込まれることを特徴とする請求項７記載の携帯電話。
【請求項９】
前記弾性体に設けられる前記軟骨伝導振動部は、電磁型の振動子であることを特徴とする請求項６から８のいずれかに記載の携帯電話。
【手続補正書】
【提出日】平成26年1月6日(2014.1.6)
【手続補正１】
【補正対象書類名】特許請求の範囲
【補正対象項目名】全文
【補正方法】変更
【補正の内容】
【特許請求の範囲】
【請求項１】
電子マネー担体からの情報の読み出し、及び、前記電子マネー担体への情報の書き込みを行うリーダライタと、
電気車両に充電を行う充電部と、
前記充電部と、前記電気車両の蓄電部とを連結する充電ノズルの連結をロックするロック部と、
前記リーダライタにより読み出された、店舗での電子マネーの利用履歴情報に基づいて、前記ロック部のロックを制御するロック制御部と、
を具備する電気車両用充電器。
【請求項２】
前記ロック制御部は、
前記利用履歴情報を用いて、前記電気車両への充電に対する料金の精算が終了した場合に、前記ロック部のロックを解除する、
請求項１に記載の電気車両用充電器。
【請求項３】
電子マネー担体からの情報の読み出し、及び、前記電子マネー担体への情報の書き込みを行うリーダライタと、
電気車両に充電を行う充電部と、
前記充電部と、前記電気車両の蓄電部とを連結する充電ノズルの連結をロックするロック部と、
前記リーダライタにより前記電子マネー担体から、店舗での利用金額に応じた割引情報を読み出し、前記割引情報に基づいて前記充電に対する料金の精算が終了した場合に、前記ロック部のロックを解除するロック制御部と、
を具備する電気車両用充電器。
【請求項４】
電気車両用充電器と、店舗に設けられたＰＯＳ端末と、を有する電気車両用充電システムであって、
前記電気車両用充電器は、
電子マネー担体からの情報の読み出し、及び、前記電子マネー担体への情報の書き込みを行うリーダライタと、
電気車両に充電を行う充電部と、
前記充電部と、前記電気車両の蓄電部とを連結する充電ノズルの連結をロックするロック部と、
前記リーダライタにより読み出された、店舗での電子マネーの利用履歴情報に基づいて、前記ロック部のロックを制御するロック制御部と、
を具備し、
前記ＰＯＳ端末は、前記店舗での電子マネーの利用履歴情報を、電子マネー担体に書き込むリーダライタを有する、
電気車両用充電システム。
【請求項５】
電子マネー担体からの情報の読み出し、及び、前記電子マネー担体への情報の書き込みを行うステップと、
電気車両に充電を行うステップと、
充電部と、電気車両の蓄電部とを連結する充電ノズルの連結をロックするステップと、
前記電子マネー担体から読み出された、店舗での電子マネーの利用履歴情報に基づいて、前記ロック部のロックを制御するステップと、
を含む、電気車両充電方法。
【手続補正２】
【補正対象書類名】明細書
【補正対象項目名】００６４
【補正方法】変更
【補正の内容】
【００６４】
本実施の形態の電気車両用充電器は、電子マネー担体からの情報の読み出し、及び、電子マネー担体への情報の書き込みを行うリーダライタと、電気車両に充電を行う充電部と、充電部と、電気車両の蓄電部とを連結する充電ノズルの連結をロックするロック部と、リーダライタにより電子マネー担体から、店舗での利用金額に応じた割引情報を読み出し、割引情報に基づいて充電に対する料金の精算が終了した場合に、ロック部のロックを解除するロック制御部と、を具備する。
【手続補正書】
【提出日】平成26年1月10日(2014.1.10)
【手続補正１】
【補正対象書類名】特許請求の範囲
【補正対象項目名】全文
【補正方法】変更
【補正の内容】
【特許請求の範囲】
【請求項１】
ハブと、前記ハブに形成された開口孔部に結合するシャフトと、を含む回転機器の製造方法であって、
前記開口孔部における前記シャフトの挿入側端部の周縁近傍に液状物質を付着させるステップと、
前記シャフトと前記挿入側端部とを接近させて前記液状物質を前記シャフトに接触させた後に前記シャフトと前記挿入側端部とを離反させる接近離反ステップと、
前記シャフトを前記挿入側端部から前記開口孔部における最終固定位置まで挿入する挿入ステップと、
を含むことを特徴とする回転機器の製造方法。
【請求項２】
前記接近離反ステップは、製造工程のサイクルタイム内で複数回実行されることを特徴とする請求項１記載の回転機器の製造方法。
【請求項３】
前記液状物質は、潤滑剤であることを特徴とする請求項１または請求項２記載の回転機器の製造方法。
【請求項４】
前記液状物質は、硬化性樹脂であることを特徴とする請求項１または請求項２記載の回転機器の製造方法。
【請求項５】
前記挿入ステップは、前記シャフトを前記最終固定位置と前記挿入側端部との間の位置で所定の時間静置させた後、前記最終固定位置まで挿入することを特徴とする請求項１から請求項４のいずれか１項に記載の回転機器の製造方法。
【請求項６】
前記挿入ステップは、前記シャフトを半径方向への変位を規制した状態であって、前記ハブを半径方向へ変位可能に支持した状態で前記開口孔部に挿入することを特徴とする請求項１から請求項５のいずれか１項に記載の回転機器の製造方法。
【手続補正書】
【提出日】平成25年12月10日(2013.12.10)
【手続補正１】
【補正対象書類名】特許請求の範囲
【補正対象項目名】全文
【補正方法】変更
【補正の内容】
【特許請求の範囲】
【請求項１】
被験者の身体の測定部位に向けた光の点灯と消灯とを繰り返す発光手段と、
前記測定部位にて反射された光または前記測定部位を透過した光を受光して、受光した光の受光強度を示す受光信号を出力する受光手段と、
前記発光手段による光の点灯期間内の前記受光信号と前記発光手段による光の消灯期間内の前記受光信号との差分を脈波信号として出力する脈波信号発生手段と
を具備することを特徴とする脈波計測装置。
【請求項２】
前記脈波信号発生手段は、
前記発光手段による光の点灯期間内に前記受光信号に基づいて第１の信号を出力する第１のサンプホールド回路と、
前記発光手段による光の消灯期間内に前記受光信号に基づいて第２の信号を出力する第２のサンプルホールド回路とを具備し、
前記第１の信号と前記第２の信号との差分を前記脈波信号として出力することを特徴とする請求項１に記載の脈波計測装置。
【請求項３】
前記発光手段による光の点灯のタイミングと同期して当該光の点灯時間以下の時間だけアクティブになる第１のタイミング信号と、前記発光手段による光の消灯のタイミングと同期して当該光の消灯時間より短い時間だけアクティブになる第２のタイミング信号とを発生する制御手段を具備し、
前記第１のサンプルホールド回路は、前記第１のタイミング信号がアクティブになる期間で前記受光信号をサンプリングし、前記第２のサンプルホールド回路は、前記第２のタイミング信号がアクティブになる期間で前記受光信号をサンプリングする
ことを特徴とする請求項２に記載の脈波計測装置。
【請求項４】
前記脈波信号発生手段は、
前記受光信号を前記点灯期間および前記消灯期間に１回ずつＡ／Ｄ変換して受光データを出力するＡ／Ｄ変換手段を具備し、
前記受光データのうち前記点灯期間のサンプルを第１のデータ、前記受光データのうち前記消灯期間のサンプルを第２のデータとしたとき、前記第１のデータと前記第２のデータとの差分を求め、この差分を前記脈波信号として出力することを特徴とする請求項１に記載の脈波計測装置。
【請求項５】
コンピュータに、
被験者の身体の測定部位に向けた光の点灯と消灯とを発光手段に繰り返させる処理と、
前記測定部位にて反射された光、または前記測定部位を透過した光を受光する受光手段の受光強度をサンプリング回路にサンプリングさせる処理と、
前記サンプリング回路によりサンプリングされた前記受光手段の受光強度のサンプル値のうち前記発光手段による光の点灯期間内における受光強度のサンプル値と、前記発光手段による光の消灯期間内における受光強度のサンプル値との差分を求め、この差分を脈波信号のサンプル値とする処理と
を実行させることを特徴とするプログラム。
【請求項６】
被験者の身体の測定部位に向けた光の点灯と消灯とを繰り返す発光手段と、
前記測定部位にて反射された光または前記測定部位を透過した光を受光して、受光した光の受光強度を示す受光信号を出力する受光手段と、
前記発光手段が点灯時に前記受光信号をサンプリングする第１サンプルホールド回路と、
前記発光手段が消灯時に前記受光信号をサンプリングする第２サンプルホールド回路と、
前記第１サンプルホールド回路と前記第２サンプルホールド回路との差分を出力する演算回路と、
を具備することを特徴とする脈波信号出力回路。
【請求項７】
請求項６に記載の脈波信号出力回路において、
前記第１サンプルホールド手段と前記第２サンプルホールド手段とを制御する制御部を有し、
前記制御部は、前記発光手段が点灯時に、点灯期間よりも短い期間において出力された受光信号に関する情報を前記第１サンプルホールド回路に出力させ、前記発光手段が消灯時に、消灯期間よりも短い期間において出力された受光信号に関する情報を前記第２サンプルホールド回路に出力させることを特徴とする脈波信号出力回路。
【請求項８】
請求項６または７に記載の脈波信号出力回路において、
前記演算手段の前記出力を、Ａ／Ｄ変換回路へ入力することを特徴とする脈波信号出力回路。
【手続補正２】
【補正対象書類名】明細書
【補正対象項目名】発明の名称
【補正方法】変更
【補正の内容】
【発明の名称】脈波計測装置、プログラムおよび脈波信号出力回路
【手続補正書】
【提出日】平成26年1月24日(2014.1.24)
【手続補正１】
【補正対象書類名】特許請求の範囲
【補正対象項目名】全文
【補正方法】変更
【補正の内容】
【特許請求の範囲】
【請求項１】
屈曲部を有する被検体内に対して挿入される挿入ユニットであって、
少なくとも挿入方向の先端側に前記挿入方向に沿ったスリットが形成された外側挿入体と、
前記外側挿入体内に対して前記挿入方向の前後に挿通自在であるとともに、前記外側挿入体の前記挿入方向の先端から前記挿入方向の前方に突出自在な内側挿入体と、
前記外側挿入体内に対して前記挿入方向の前後に挿通自在であるとともに、前記外側挿入体の前記先端から前記前方に突出自在な、前記挿入方向の先端側に折り曲げ部が形成されたガイド部材と、
を具備していることを特徴とする挿入ユニット。
【請求項２】
前記外側挿入体は、該外側挿入体の径方向の外周に前記挿入方向に沿って複数の蛇腹部を有するチューブから構成されていることを特徴とする請求項１に記載の挿入ユニット。
【請求項３】
前記各蛇腹部の山部において、前記挿入方向の前方の斜面の角度は、前記挿入方向後方の斜面の角度よりも小さく、さらに鋭角であることを特徴とする請求項２に記載の挿入ユニット。
【請求項４】
前記外側挿入体の周方向における前記スリットの幅は、前記ガイド部材の径よりも小さく形成されていることを特徴とする請求項１〜３のいずれか１項に記載の挿入ユニット。
【請求項５】
前記内側挿入体は、流体供給チューブと、該流体供給チューブによって流体が供給されることにより前記内側挿入体の径方向に膨張する、前記流体供給チューブの前記挿入方向の先端に設けられたバルーンとを具備するバルーンユニットであることを特徴とする請求項１〜４のいずれか１項に記載の挿入ユニット。
【請求項６】
前記内側挿入体は、内視鏡の挿入部であることを特徴とする請求項１〜４のいずれか１項に記載の挿入ユニット。
【請求項７】
前記ガイド部材は、チューブ状部材から構成されており、前記チューブ状部材内に、前記内側挿入体が、前記挿入方向の前後に挿通自在であるとともに前記チューブ状部材の前記挿入方向の先端から前記挿入方向の前方に突出自在になっていることを特徴とする請求項１〜６のいずれか１項に記載の挿入ユニット。
【請求項８】
前記外側挿入体の前記スリットを挟んで対向する前記外側挿入体の周方向における一方側と他方側との前記挿入方向の各先端は、前記屈曲部の段差に当接すると、前記段差に当接する前記一方側の前記先端に対して、前記他方側の前記先端の位置が、前記スリットによりずれることを特徴とする請求項１〜６のいずれか１項に記載の挿入ユニット。
【請求項９】
前記ガイド部材の前記折り曲げ部は、前記外側挿入体内における前記挿入方向の先端側に位置している際、前記外側挿入体の前記先端側を前記折り曲げ部の形状に起因して湾曲させることにより、前記外側挿入体の前記先端における前記スリットを挟んで対向する前記外側挿入体の周方向の一方側と他方側において、前記一方側の前記先端に対して前記他方側の前記先端の位置をずらして、前記外側挿入体の前記先端に傾斜面を形成することを特徴とする請求項１〜６のいずれか１項に記載の挿入ユニット。
【請求項１０】
前記内視鏡の前記挿入部に設けられた湾曲部は、前記外側挿入体内における前記挿入方向の先端側に位置している際、前記外側挿入体の前記先端側を湾曲に伴い湾曲させることにより、前記外側挿入体の前記先端における前記スリットを挟んで対向する前記外側挿入体の周方向の一方側と他方側において、前記一方側の前記先端に対して前記他方側の前記先端の位置をずらして、前記外側挿入体の前記先端に傾斜面を形成することを特徴とする請求項６に記載の挿入ユニット。
【手続補正２】
【補正対象書類名】明細書
【補正対象項目名】００１０
【補正方法】変更
【補正の内容】
【００１０】
上記目的を達成するために本発明の一態様における挿入ユニットは、屈曲部を有する被検体内に対して挿入される挿入ユニットであって、少なくとも挿入方向の先端側に前記挿入方向に沿ったスリットが形成された外側挿入体と、前記外側挿入体内に対して前記挿入方向の前後に挿通自在であるとともに、前記外側挿入体の前記挿入方向の先端から前記挿入方向の前方に突出自在な内側挿入体と、前記外側挿入体内に対して前記挿入方向の前後に挿通自在であるとともに、前記外側挿入体の前記先端から前記前方に突出自在な、前記挿入方向の先端側に折り曲げ部が形成されたガイド部材と、を具備していることを特徴とする。
【手続補正書】
【提出日】平成26年2月13日(2014.2.13)
【手続補正１】
【補正対象書類名】特許請求の範囲
【補正対象項目名】全文
【補正方法】変更
【補正の内容】
【特許請求の範囲】
【請求項１】
遊技盤の遊技領域における一方の領域に配置しており、遊技球が通過したことを検出する一方のゲートと、
前記遊技盤の遊技領域における他方の領域に配置しており、遊技球が通過したことを検出する他方のゲートと、
遊技球が前記一方又は他方のゲートを通過すると普通図柄についての特定抽選を実行する一方、遊技球が第一始動口に入球すると特別図柄についての特別抽選を実行し、前記特別抽選に当選すると通常遊技状態から特別遊技状態に移行させる遊技制御基板と、
前記遊技制御基板の制御によって遊技球の払出動作を制御する払出制御基板と、
前記他方の領域に配置されているとともに可動片を備え、前記普通図柄についての特定抽選に当選すると、前記遊技制御基板の制御によって前記可動片の開閉動作を実行することにより第二始動口への遊技球の受け入れを行いやすくする普通電動役物と、
前記特別図柄に対応する第一、第二及び第三の装飾図柄を変動表示する装飾図柄表示装置と、
前記普通図柄及び前記特別図柄の少なくとも一方の抽選の結果に応じて所定の演出装置による演出動作を制御する演出制御基板とを備え、
前記演出制御基板は、
前記装飾図柄表示装置に、前記第一及び第三の装飾図柄を揃えた状態で前記第二の装飾図柄を変動表示させた後に前記第二の装飾図柄が前記第一及び第三の装飾図柄に揃わない態様で停止表示させることにより、前記特別図柄の抽選に当選していないことを表示したことを契機として特典を付与し、前記付与された特典が特定の条件を満たした場合に、前記他方の遊技領域に遊技球を発射すべきことを示唆する方向示唆演出を実行しそうであることを示唆する実行示唆演出を実行させた後、前記普通図柄の特定抽選に当選している場合には前記方向示唆演出を実行させる一方、前記普通図柄の特定抽選に当選していない場合には前記方向示唆演出の実行を抑制し、
前記遊技制御基板は、
前記普通図柄の特定抽選に当選している場合には、前記他方の遊技領域に配置された前記普通電動役物の可動片の開閉動作を実行させ、前記第二始動口に入球した遊技球の数に応じて、前記払出制御基板による払出動作を制御する
ことを特徴とする遊技機。
【請求項２】
前記演出制御基板は、
前記可動片の開閉動作が停止された後に、前記装飾図柄表示装置に、前記一方の遊技領域に遊技球を発射すべきことを示唆させる
ことを特徴とする請求項１に記載の遊技機。
【請求項３】
前記遊技制御基板は、
前記一方の遊技領域に遊技球を発射すべきことが示唆されると、前記普通電動役物の可動片の開閉動作を停止させる
ことを特徴とする請求項２に記載の遊技機。
【手続補正２】
【補正対象書類名】明細書
【補正対象項目名】０００８
【補正方法】変更
【補正の内容】
【０００８】
上記した目的を達成するため、第１の発明に係る遊技機は、遊技盤の遊技領域における一方の領域に配置しており、遊技球が通過したことを検出する一方のゲートと、前記遊技盤の遊技領域における他方の領域に配置しており、遊技球が通過したことを検出する他方のゲートと、遊技球が前記一方又は他方のゲートを通過すると普通図柄についての特定抽選を実行する一方、遊技球が第一始動口に入球すると特別図柄についての特別抽選を実行し、前記特別抽選に当選すると通常遊技状態から特別遊技状態に移行させる遊技制御基板と、前記遊技制御基板の制御によって遊技球の払出動作を制御する払出制御基板と、前記他方の領域に配置されているとともに可動片を備え、前記普通図柄についての特定抽選に当選すると、前記遊技制御基板の制御によって前記可動片の開閉動作を実行することにより第二始動口への遊技球の受け入れを行いやすくする普通電動役物と、前記特別図柄に対応する第一、第二及び第三の装飾図柄を変動表示する装飾図柄表示装置と、前記普通図柄及び前記特別図柄の少なくとも一方の抽選の結果に応じて所定の演出装置による演出動作を制御する演出制御基板とを備え、前記演出制御基板は、前記装飾図柄表示装置に、前記第一及び第三の装飾図柄を揃えた状態で前記第二の装飾図柄を変動表示させた後に前記第二の装飾図柄が前記第一及び第三の装飾図柄に揃わない態様で停止表示させることにより、前記特別図柄の抽選に当選していないことを表示したことを契機として特典を付与し、前記付与された特典が特定の条件を満たした場合に、前記他方の遊技領域に遊技球を発射すべきことを示唆する方向示唆演出を実行しそうであることを示唆する実行示唆演出を実行させた後、前記普通図柄の特定抽選に当選している場合には前記方向示唆演出を実行させる一方、前記普通図柄の特定抽選に当選していない場合には前記方向示唆演出の実行を抑制し、前記遊技制御基板は、前記普通図柄の特定抽選に当選している場合には、前記他方の遊技領域に配置された前記普通電動役物の可動片の開閉動作を実行させ、前記第二始動口に入球した遊技球の数に応じて、前記払出制御基板による払出動作を制御することを特徴とする。
【手続補正書】
【提出日】平成26年1月24日(2014.1.24)
【手続補正１】
【補正対象書類名】特許請求の範囲
【補正対象項目名】全文
【補正方法】変更
【補正の内容】
【特許請求の範囲】
【請求項１】
挿入部を有し、該挿入部の先端部に撮像素子を有するスコープが着脱可能な本体部と、
前記本体部に設けられ、前記撮像素子を駆動して、前記撮像素子で撮像して得られた映像信号を処理する映像信号処理部と、
表示部と、
前記本体部に設けられ、前記撮像素子のリファレンス画像の取得のための初期設定処理の開始をユーザに指示させるための初期設定指示画面を前記表示部に表示し、前記初期設定処理の開始の指示に応じて、前記先端部の遮光をユーザにさせるため第１のメッセージを前記表示部に表示し、前記先端部の遮光がされた状態で、前記リファレンス画像を取得し、取得された前記リファレンス画像を、所定のメモリに格納する制御部と、
を有することを特徴とする内視鏡装置。
【請求項２】
前記制御部は、前記第１のメッセージを前記表示部に表示した後に、前記リファレンス画像の取得前に、前記初期設定処理が実行中であることを前記ユーザに告知する第２のメッセージを前記表示部に表示し、前記先端部の遮光がされた状態で、前記リファレンス画像を取得することを特徴とする請求項１に記載の内視鏡装置。
【請求項３】
前記制御部は、前記先端部の遮光がされた状態で、前記リファレンス画像を取得後に、前記初期設定処理が完了したことを前記ユーザに告知する第６のメッセージを前記表示部に表示することを特徴とする請求項１又は２に記載の内視鏡装置。
【請求項４】
前記制御部は、前記第１のメッセージを表示した後に、前記先端部の遮光状態を判定し、前記遮光状態の判定から、前記先端部が正しく遮光されていないと判定された場合には、前記先端部の遮光を正しく行うように指示する第３のメッセージを前記表示部に表示することを特徴とする請求項１から３のいずれか１つに記載の内視鏡装置。
【請求項５】
前記制御部は、前記リファレンス画像の取得にかかる時間をユーザに告知する第４のメッセージを前記表示部に表示することを特徴とする請求項１から４のいずれか１つに記載の内視鏡装置。
【請求項６】
前記制御部は、前記リファレンス画像の取得の前に、前記スコープが前記本体部に接続されていないことが検出された場合には、前記スコープの前記本体部への接続を指示する第５のメッセージを前記表示部に表示することを特徴とする請求項１から５のいずれか１つに記載の内視鏡装置。
【請求項７】
前記制御部は、前記リファレンス画像が前記所定のメモリに格納された後に、前記初期設定処理の終了を前記ユーザに告知するための初期設定終了画面を前記表示部に表示することを特徴とする請求項１から６のいずれか１つに記載の内視鏡装置。
【請求項８】
前記制御部は、前記内視鏡装置の前記本体部の電源がオンされたときに接続されている前記スコープが、前記本体部が前回オフされたときに接続されていたスコープと異なっていることが検出されたときに、前記初期設定指示画面を前記表示部に表示することを特徴とする請求項１から７のいずれか１つに記載の内視鏡装置。
【請求項９】
前記初期設定指示画面は、メニュー画面であることを特徴とする請求項１から８のいずれか１つに記載の内視鏡装置。
【請求項１０】
前記制御部は、前記内視鏡装置の本体部の電源オン中に前記スコープが交換されたときに、前記初期設定指示画面を前記表示部に表示することを特徴とする請求項１から９のいずれか１つに記載の内視鏡装置。
【請求項１１】
前記リファレンス画像の取得にかかる時間は、前記撮像素子を、前記スコープの前記先端部内に設けられたヒータにより加熱して所定の温度になるまでの時間を含むことを特徴とする請求項５に記載の内視鏡装置。
【請求項１２】
前記所定のメモリは、前記本体部に設けられていることを特徴とする請求項１から１１のいずれか１つに記載の内視鏡装置。
【請求項１３】
内視鏡装置の本体部に着脱可能なスコープの先端部に設けられた撮像素子のリファレンス画像の取得のための初期設定処理の開始をユーザに指示させるための初期設定指示画面を表示部に表示し、
前記初期設定処理の開始の指示に応じて、前記先端部の遮光をユーザにさせるため第１のメッセージを前記表示部に表示し、
前記先端部の遮光がされた状態で、前記リファレンス画像を取得し、
取得された前記リファレンス画像を、所定のメモリに格納する、
ことを特徴とする内視鏡装置のリファレンス画像の設定方法。
【手続補正２】
【補正対象書類名】明細書
【補正対象項目名】００１４
【補正方法】変更
【補正の内容】
【００１４】
本発明の一態様によれば、挿入部を有し、該挿入部の先端部に撮像素子を有するスコープが着脱可能な本体部と、前記本体部に設けられ、前記撮像素子を駆動して、前記撮像素子で撮像して得られた映像信号を処理する映像信号処理部と、表示部と、前記本体部に設けられ、前記撮像素子のリファレンス画像の取得のための初期設定処理の開始をユーザに指示させるための初期設定指示画面を前記表示部に表示し、前記初期設定処理の開始の指示に応じて、前記先端部の遮光をユーザにさせるため第１のメッセージを前記表示部に表示し、前記先端部の遮光がされた状態で、前記リファレンス画像を取得し、取得された前記リファレンス画像を、所定のメモリに格納する制御部と、を有する内視鏡装置を提供することができる。
【手続補正書】
【提出日】平成26年2月12日(2014.2.12)
【手続補正１】
【補正対象書類名】特許請求の範囲
【補正対象項目名】全文
【補正方法】変更
【補正の内容】
【特許請求の範囲】
【請求項１】
遊技用価値を用いて１ゲームに対して所定数の賭数を設定することによりゲームが開始可能となるとともに、各々が識別可能な複数種類の図柄を変動表示可能な可変表示装置に表示結果が導出されることにより１ゲームが終了し、該可変表示装置に導出された表示結果に応じて入賞が発生可能とされたスロットマシンであって、
遊技者にとって通常よりも有利に制御する有利制御手段と、
所定の演出態様にて前記有利制御手段により有利に制御される可能性を示唆する所定演出を実行する所定演出実行手段と、
遊技者が操作可能な操作手段と、
前記所定演出が実行されている状態で前記操作手段が操作されたことを条件に前記所定の演出態様を該所定の演出態様とは異なる演出態様に変化させる演出態様変化手段と、
を備え、
前記演出態様変化手段は、前記所定演出が実行された後、第１の状況において前記操作手段が操作された場合と、該第１の状況の後に発生し得る第２の状況において前記操作手段が操作された場合と、で異なる演出態様に変化させる
ことを特徴とするスロットマシン。
【手続補正２】
【補正対象書類名】明細書
【補正対象項目名】０００８
【補正方法】変更
【補正の内容】
【０００８】
上記課題を解決するために、本発明の請求項１に記載のスロットマシンは、
遊技用価値を用いて１ゲームに対して所定数の賭数を設定することによりゲームが開始可能となるとともに、各々が識別可能な複数種類の図柄を変動表示可能な可変表示装置（リール２Ｌ、２Ｃ、２Ｒ）に表示結果が導出されることにより１ゲームが終了し、該可変表示装置に導出された表示結果に応じて入賞が発生可能とされたスロットマシン（スロットマシン１）であって、
遊技者にとって通常よりも有利に制御する有利制御手段（ＢＢ、ＲＢなどのボーナス、ＡＴ）と、
所定の演出態様にて前記有利制御手段により有利に制御される可能性を示唆する所定演出（遊技者に対して演出用スイッチ５６の複数回の操作（連打）を促す画像の表示）を実行する所定演出実行手段と、
遊技者が操作可能な操作手段（演出用スイッチ５６）と、
前記所定演出が実行されている状態で前記操作手段（演出用スイッチ５６）が操作されたことを条件に前記所定の演出態様を該所定の演出態様とは異なる演出態様（絵柄と「？」の表示）に変化させる演出態様変化手段と、
を備え、
前記演出態様変化手段は、前記所定演出が実行された後、第１の状況（第１停止後、第２停止まで）において前記操作手段（演出用スイッチ５６）が操作された場合と、該第１の状況の後に発生し得る第２の状況（第２停止後、第３停止まで）において前記操作手段（演出用スイッチ５６）が操作された場合と、で異なる演出態様に変化させる（第１停止後、第２停止までは３つの絵柄と「？」を表示し、第２停止後、第３停止までは２つの絵柄と「？」を表示する）
ことを特徴としている。
この特徴によれば、所定の演出態様にて遊技者にとって有利に制御される可能性を示唆する所定演出を実行するとともに、所定演出が実行された後、操作手段が操作されることで所定の演出態様とは異なる演出態様に変化するようになっている。この際、操作手段が、ゲーム開始後の第１の状況において操作されたのか、第１の状況の後に発生し得る第２の状況において操作されたのか、に応じて所定の演出態様からの変化後の演出態様が異なるため、演出が単調となってしまうことを防止できる。
尚、操作手段とは、遊技を進行するための操作（例えば、可変表示装置に表示結果を導出させる操作）を行う操作手段であっても良いし、遊技の進行に影響しない操作（例えば、遊技の進行上無効化されている操作手段の操作や演出用の操作手段の操作）を行う操作手段であっても良い。
有利制御手段が遊技者にとって通常よりも有利に制御するとは、遊技者にとって有利な決定が行われること、遊技者にとって有利な権利が付与されること、有利な権利の付与数の期待値が高くなるもの、などが該当する。
また、第１の状況及び該第１の状況の後に発生し得る第２の状況とは、遊技の進行に応じて発生し得る状況、例えば、複数の可変表示部のうちの表示結果の導出の有無に応じて移行する状況（全ての可変表示部に表示結果が導出されていない状況：第１の状況、いずれかの可変表示部に表示結果が導出された状況：第２の状況など）や遊技の進行操作の無効期間中か、有効化された後か、の状況でも良いし、遊技の進行操作の無効期間前か、無効期間後か、の状況でも良いし、遊技の進行とは関係なく移行する状況、例えば、遊技者の操作とは関係なく発生し得る所定演出の演出態様が異なる状況、所定演出が開始してからの経過時間に応じて発生し得る状況などでも良い。
【手続補正書】
【提出日】平成26年2月14日(2014.2.14)
【手続補正１】
【補正対象書類名】明細書
【補正対象項目名】００６８
【補正方法】変更
【補正の内容】
【００６８】
レコード４０が格納されると、目標取得部１８２は図５で説明した手順に従って目標晩体重を算出し、記憶部１２に格納する（ステップＳ２４）。
【手続補正２】
【補正対象書類名】明細書
【補正対象項目名】００７７
【補正方法】変更
【補正の内容】
【００７７】
目標達成判定部１８９は、目標達成の有無を判定する（ステップＳ３３）。つまり、（夕食前体重−目標晩体重）に従う演算をし、その算出値が０以下であると、現在体重が目標晩体重を超えていないことから目標の“達成”と判定し（ステップＳ３４で“達成”）、アドバイス取得部１８５は判定結果に基づき、データ４６を検索し“達成”のアドバイスを取得する（ステップＳ３５）。また、その算出値が０より大きいと、既に目標晩体重を超えていることから目標の“未達成”（オーバ）と判定し（ステップＳ３４で“未達成”）、アドバイス取得部１８５は判定結果に基づき、データ４６を検索し“未達成”のアドバイスを取得する（ステップＳ３６）。取得されたアドバイスは、出力処理部１８６により表示部１５に表示される（ステップＳ３８，ステップＳ３９）。表示画面の一例として“達成”の画面が図９の（Ｂ）に示され、“未達成”の画面が図９の（Ｅ）に示される。画面表示後は、図６のステップＳ４の処理に移行する。
【手続補正３】
【補正対象書類名】明細書
【補正対象項目名】０１１３
【補正方法】変更
【補正の内容】
【０１１３】
また、サーバ５は、記憶部５５に体重増加させやすい食事内容の情報（献立など）と、体重増加させにくい食事内容の情報とを格納し、ステップＳ３５，ステップＳ３６の処理において、体重体組成計３に送信するようにしてもよい。
【手続補正書】
【提出日】平成26年10月10日(2014.10.10)
【手続補正１】
【補正対象書類名】特許請求の範囲
【補正対象項目名】全文
【補正方法】変更
【補正の内容】
【特許請求の範囲】
【請求項１】
（Ａ）茶ポリフェノール、（Ｂ）イノシン−５’−モノリン酸（５’−ＩＭＰ）、（Ｃ）シチジン−５’−モノリン酸（５’−ＣＭＰ）、（Ｄ）グアノシン−５’−モノリン酸（５’−ＧＭＰ）を含有し、
（Ａ）：３０〜３００ｍｇ／１００ｍＬ
（Ｂ）：０．００２ｍｇ／１００ｍＬ以上
（Ｂ）と（Ｃ）の含有量比（Ｂ）／（Ｃ）が０．１〜１．７６の範囲であることを特徴とする茶飲料（ただし、酵母エキス及び／又はうま味調味料を添加したものを除く）。
【請求項２】
茶抽出物を添加したものであることを特徴とする請求項１記載の茶飲料。
【請求項３】
５’−ＧＭＰと５’−ＩＭＰを含有する茶抽出物を添加したものであることを特徴とする請求項２記載の茶飲料。
【請求項４】
（Ａ）茶ポリフェノール、（Ｂ）イノシン−５’−モノリン酸（５’−ＩＭＰ）、（Ｃ）シチジン−５’−モノリン酸（５’−ＣＭＰ）、（Ｄ）グアノシン−５’−モノリン酸（５’−ＧＭＰ）を含有し、
水１００ｍＬに、（Ａ）：３０〜３００ｍｇとなるよう溶解した際に、
（Ｂ）：０．００２ｍｇ／１００ｍＬ以上
（Ｂ）と（Ｃ）の含有量比（Ｂ）／（Ｃ）が０．１〜１．７６の範囲の茶飲料となることを特徴とするインスタント粉末茶（ただし、酵母エキス及び／又はうま味調味料を添加したものを除く）。
【請求項５】
茶抽出液に５’−ホスホジエステラーゼ活性を有する酵素及び５’−アデニル酸デアミナーゼ活性を有する酵素を作用させる工程を経て調製したことを特徴とする、
（Ａ）茶ポリフェノール、（Ｂ）イノシン−５’−モノリン酸（５’−ＩＭＰ）、（Ｃ）シチジン−５’−モノリン酸（５’−ＣＭＰ）、（Ｄ）グアノシン−５’−モノリン酸（５’−ＧＭＰ）を含有し、
水１００ｍＬに、（Ａ）：３０〜３００ｍｇとなるよう溶解した際に、
（Ｂ）：０．００２ｍｇ／１００ｍＬ以上
（Ｂ）と（Ｃ）の含有量比（Ｂ）／（Ｃ）が０．１〜１１の範囲の茶飲料となることを特徴とするインスタント粉末茶（ただし、酵母エキス及び／又はうま味調味料を添加したものを除く）。
【請求項６】
茶抽出物を添加したものであることを特徴とする請求項４または５記載のインスタント粉末茶。
【請求項７】
５’−ＧＭＰと５’−ＩＭＰを含有する茶抽出物を添加したものであることを特徴とする請求項６記載のインスタント粉末茶。
【請求項８】
茶抽出液に５’−ホスホジエステラーゼ活性を有する酵素及び５’−アデニル酸デアミナーゼ活性を有する酵素を作用させる工程を備えた茶飲料の製造方法。
【手続補正２】
【補正対象書類名】明細書
【補正対象項目名】００１０
【補正方法】変更
【補正の内容】
【００１０】
すなわち、本発明の茶飲料は、（Ａ）茶ポリフェノール、（Ｂ）イノシン−５’−モノリン酸（５’−ＩＭＰ）、（Ｃ）シチジン−５’−モノリン酸（５’−ＣＭＰ）、（Ｄ）グアノシン−５’−モノリン酸（５’−ＧＭＰ）を含有し、（Ａ）を２０〜３００ｍｇ／１００ｍＬ、（Ｂ）を０．００２ｍｇ／１００ｍＬ以上、（Ｂ）と（Ｃ）の含有量比（Ｂ）／（Ｃ）＝０．１〜１．７６であることを特徴とする茶飲料である（ただし、酵母エキス及び／又はうま味調味料を添加したものを除く）。本請求項でいう「茶ポリフェノール」とは、酒石酸鉄法により、標準液として没食子酸エチルを用い、没食子酸エチルの換算量として求める方法によって定量される成分のことをいう。また、本請求項でいう「酵母エキス」とは、酵母を主原料とした様々な調味料や食品添加物を示す。市販品でいうと、日本製紙ケミカル（株）から販売されている「ＳＫ酵母エキスＨＵ」、「ＳＫ酵母エキスＨＵＰ−２」、「ＳＫ酵母エキスＨＵ−Ｗ」、「ＳＫ酵母エキスＨＵＡＰ」やオリエンタル酵母工業（株）から販売されている「醇味」シリーズなどが挙げられる。また、本請求項でいう「うまみ調味料」とは、グルタミン酸ナトリウム、イノシン酸ナトリウム、グアニル酸ナトリウムを示し、またこれらを２種以上混合したものも包含する。市販品でいうと、味の素（株）から販売されている「味の素」、「ハイミー」やキリンフードテック（株）から販売されている「いの一番」、「リボタイド」や、ヤマサ醤油（株）から販売されている「フレーブ」などが挙げられる。請求項２記載の茶飲料は、請求項１記載の茶飲料において、茶抽出物を添加したものである。請求項３記載の茶飲料は、請求項２記載の茶抽出物が、５’−ＧＭＰと５’−ＩＭＰを含有する茶抽出物であることを特徴とする。請求項４記載の茶飲料は、（Ａ）茶ポリフェノール、（Ｂ）イノシン−５’−モノリン酸（５’−ＩＭＰ）、（Ｃ）シチジン−５’−モノリン酸（５’−ＣＭＰ）、（Ｄ）グアノシン−５’−モノリン酸（５’−ＧＭＰ）を含有し、水１００ｍＬに、（Ａ）：３０〜３００ｍｇとなるよう溶解した際に、（Ｂ）：０．００２ｍｇ／１００ｍＬ以上（Ｂ）と（Ｃ）の含有量比（Ｂ）／（Ｃ）が０．１〜１．７６の範囲の茶飲料となることを特徴とするインスタント粉末茶である（ただし、酵母エキス及び／又はうま味調味料を添加したものを除く）。請求項５記載の茶飲料は、茶抽出液に５’−ホスホジエステラーゼ活性を有する酵素及び５’−アデニル酸デアミナーゼ活性を有する酵素を作用させる工程を経て調製したことを特徴とする、（Ａ）茶ポリフェノール、（Ｂ）イノシン−５’−モノリン酸（５’−ＩＭＰ）、（Ｃ）シチジン−５’−モノリン酸（５’−ＣＭＰ）、（Ｄ）グアノシン−５’−モノリン酸（５’−ＧＭＰ）を含有し、水１００ｍＬに、（Ａ）：３０〜３００ｍｇとなるよう溶解した際に、（Ｂ）：０．００２ｍｇ／１００ｍＬ以上（Ｂ）と（Ｃ）の含有量比（Ｂ）／（Ｃ）が０．１〜１１の範囲の茶飲料となることを特徴とするインスタント粉末茶である（ただし、酵母エキス及び／又はうま味調味料を添加したものを除く）。請求項６記載の茶飲料は、請求項４または５記載のインスタント粉末茶において、茶抽出物を添加したものである。請求項７記載の茶飲料は、請求項６の茶抽出物が、５’−ＧＭＰと５’−ＩＭＰを含有する茶抽出物であることを特徴とする。また、請求項８記載の茶飲料の製造方法は、茶抽出液に５’−ホスホジエステラーゼ活性を有する酵素及び５’−アデニル酸デアミナーゼ活性を有する酵素を作用させる工程を備えた茶飲料の製造方法である。